(57)【要約】本発明は、交換通信装置の制御下にある通信装置において、通信装置内の電話帳に登録されていない交換通信装置内の電話帳データを使用して電話発信が行えるようにするものであり、電話帳処理認識部１ｃから端末制御部１ａへ電話帳データを使用する旨の信号が入力されると、端末制御部１ａは、端末内電話帳記憶部１ｂに記憶されている電話帳データを交換通信装置２へ送信し、電話帳比較部２ｄは、通信装置１から受信した電話帳データと交換通信装置内電話帳記憶部２ｄに記憶された電話帳データとの比較を行い、通信端末１の電話帳データと交換通信装置２の電話帳データが重複しない電話帳データを送信電話帳記憶部２ｃに保存し、さらに中央制御部２ａが、送信電話帳記憶部２ｃに記憶された電話帳データを通信端末１に送信し、これにより、通信端末１は、交換通信装置２内の電話帳データを有効に利用して電話発信を行うことができる。
2002023871.tif 000002
【特許請求の範囲】
【請求項１】
電話帳データを記憶する端末内電話帳記憶手段と、前記端末内電話帳記憶手段を制御するとともに、交換通信装置内電話帳記憶手段に記憶された電話帳データの送受信を行う前記交換装置との間で電話帳データの送受信制御を行う端末制御手段とを備え、前記交換通信装置内電話帳記憶手段に記憶された電話帳データを受信することにより、前記端末内電話帳記憶手段に記憶された電話帳データと前記交換通信装置内電話帳記憶手段に記憶された電話帳データとが利用できるようにした通信端末。
【請求項２】
前記交換通信装置から受信した電話帳データと前記端末内電話帳記憶手段に記憶された電話帳データとを所定の順序に配列する順序制御手段を有する請求項１に記載の通信端末。
【請求項３】
電話帳データを記憶する交換通信装置内電話帳記憶手段と、前記交換通信装置内電話帳記憶手段を制御して、電話帳データを記憶する端末内電話帳記憶手段を有する通信端末との間で電話帳データの送受信制御を行う中央制御手段とを備え、前記交換通信装置内電話帳記憶手段に記憶された電話帳データを前記通信端末に送信することにより、前記通信端末では、前記端末内電話帳記憶手段に記憶された電話帳データと前記交換通信装置内電話帳記憶手段に記憶された電話帳データとが利用できるようにした交換通信装置。
【請求項４】
前記交換通信装置は、前記通信端末が前記端末内電話帳記憶手段に記憶された電話帳データを前記交換通信装置に送信したときに、受信した電話帳データと前記交換通信装置内電話帳記憶手段に記憶された電話帳データとを比較する電話帳比較手段と、前記電話帳比較手段により前記端末内電話帳記憶手段には記憶されておらずかつ、前記交換通信装置内電話帳記憶手段に記憶されていると判定した電話帳データを記憶する送信電話帳記憶手段とを有し、前記中央制御手段が前記送信電話帳記憶手段に記憶された電話帳データを前記通信端末に送信することを特徴とする請求項３に記載の交換通信装置。
【請求項５】
電話帳データを記憶する端末内電話帳記憶手段、及び前記端末内電話帳記憶手段を制御して、交換通信装置との間で電話帳データの送受信制御を行う端末制御手段を有する通信端末と、電話帳データを記憶する交換通信装置内電話帳記憶手段、及び前記交換通信装置内電話帳記憶手段を制御して、前記通信端末との間で電話帳データの送受信制御を行う中央制御手段を有する交換通信装置とを備え、前記交換通信装置内の電話帳記憶手段に記憶された電話帳データを前記通信端末に送信することにより、前記通信端末では前記端末内電話帳記憶手段に記憶された電話帳データと前記交換通信装置内電話帳記憶手段に記憶された電話帳データとが利用できることを特徴とする交換システム。
【請求項６】
前記交換通信装置は、前記端末制御手段が前記端末内電話帳記憶手段に記憶された電話帳データを前記交換通信装置に送信したときに、受信した電話帳データと前記交換通信装置内電話帳記憶手段に記憶された電話帳データとを比較する電話帳比較手段と、前記電話帳比較手段により前記端末内電話帳記憶手段には記憶されておらずかつ、前記交換通信装置内電話帳記憶手段に記憶されていると判定した電話帳データを記憶する送信電話帳記憶手段とを有し、前記中央制御手段が前記送信電話帳記憶手段に記憶された電話帳データを前記通信端末に送信することを特徴とする請求項５に記載の交換システム。
【請求項７】
前記通信端末は、前記交換通信装置から受信した電話帳データと前端末内電話帳記憶手段に記憶された電話帳データとを所定の順序に配列する順序制御手段を有するものである請求項５又は６に記載の交換システム。
【請求項８】
前記通信端末が移動端末である請求項５から７のいずれか１つに記載の交換システム。
【請求項９】
前記交換通信装置がＰＢＸで有る請求項５から８のいずれか１つに記載の交換システム。
【請求項１０】
前記交換通信装置がＣＴＩサーバである請求項５から８のいずれか１つに記載の交換システム。
【発明の詳細な説明】
技術分野
本発明は、交換機能を有する通信装置（交換通信装置という）の制御下にある通信端末の電話帳使用の支援技術に関し、特に、通信端末が電話帳を使用する際に、通信端末に登録されている電話帳データのみでなく、交換通信装置に登録されている電話帳データも利用できるようにした構内電子交換システムに関する。
背景技術
従来、構内電子交換システムとして構成され、交換通信装置の制御下にある通信端末は、交換通信装置に登録されている電話帳データを利用して電話発信を行う場合、交換通信装置内の電話帳データを通信端末の記憶部に登録してから電話発信を行なっている。例えば、特開平１１−１９１８０２号公報には、携帯端末が、着信時に得た電話番号が記憶部から検索されなければ、その電話番号を新たに記憶部へ格納して電話帳機能を拡充する技術が開示されている。このような技術によれば、携帯端末に新たな電話番号が着信される毎に電話帳データが拡充されるので、携帯端末の利便性の向上を図ることができる。
しかしながら、上記従来の構内電子交換システムでは、通信端末のメモリ容量の関係から、通信端末の電話帳登録件数に限りがある。したがって、電話帳登録件数の制限数一杯まで登録が行なわれていた場合は、通信端末は交換通信装置の電話帳データを登録することができない。また、電話帳登録件数の制限数まで登録が行なわれていない場合においても、通信端末に交換通信装置の電話帳データを再度登録しなければいけないなどの使い勝手の悪さがある。
発明の開示
本発明は、上記のような事情に鑑みてなされたものであり、その目的は、通信端末が電話帳データを使用する場合に、交換通信装置の電話帳データを通信端末に送信することにより、通信端末が、自己に登録されている電話帳データと交換通信装置に登録されている電話帳データの両方を使用できるようにすることにある。
上記の課題を解決するために、本発明の構内電子交換システムは、交換通信装置と、交換通信装置の制御下にある通信端末とによって構成され、通信端末の電話帳検索を支援する構内電子交換システムであって、通信端末は、自己の電話帳データを用いる旨の信号を認識する電話帳処理認識手段と、自己に登録された電話帳データを記憶する端末内電話帳記憶手段と、電話帳処理認識手段を制御して、交換通信装置との間で電話帳データの送受信制御を行う端末制御手段とを備えている。また、交換通信装置は、自己に登録された電話帳データを記憶する交換通信装置内電話帳記憶手段と、通信端末との間で電話帳データの送受信制御を行なう中央制御手段とを備えている。このような構成により、交換通信装置内の電話帳データを通信端末に送信することにより、通信端末が、交換通信装置に登録されている電話帳データを利用できるようにしたことを特徴とする。
すなわち、本発明の構内電子交換システム及びこれを構成する通信端末と交換通信装置によれば、通信端末より送信電話をしようとするときに、電話帳処理認識手段が電話帳を利用する行為を認識すると、端末制御手段が、端末内電話帳記憶手段に登録されている電話帳データを取得して交換通信装置に送信する。すると、交換通信装置の中央制御手段は、交換通信装置内電話帳記憶手段に登録されている電話帳データを通信端末に送信する。このようにして、交換通信装置内の電話帳データを通信端末に送信することによって、通信端末は、自己が登録している電話帳データと共に、交換通信装置内に登録されている電話帳データも使用することができる。
また、本発明の構内電子交換システムは、交換通信装置と、交換通信装置の制御下にある通信端末とによって構成され、通信端末の電話帳検索を支援する構内電子交換システムであって、通信端末は、自己の電話帳データを用いる旨の信号を認識する電話帳処理認識手段と、自己に登録された電話帳データを記憶する端末内電話帳記憶手段と、電話帳処理認識手段を制御して、交換通信装置との間で電話帳データの送受信制御を行う端末制御手段とを備えている。また、交換通信装置は、自己に登録された電話帳データを記憶する交換通信装置内電話帳記憶手段と、端末内電話帳記憶手段が記憶する電話帳データと交換通信装置内電話帳記憶手段が記憶する電話帳データとを比較する電話帳比較手段と、電話帳比較手段の比較結果において、端末内電話帳記憶手段には存在せず、かつ交換通信装置内電話帳記憶手段に存在すると判定された電話帳データを記憶する送信電話帳記憶手段と、通信端末との間で電話帳データの送受信制御を行なう中央制御手段とを備えている。このような構成により、通信端末が、送信電話帳記憶手段に記憶された電話帳データを受信することにより、通信端末は、自己に登録されている電話帳データに加えて、交換通信装置に登録されている電話帳データを利用できるようにしたことを特徴とする。
すなわち、本発明の構内電子交換システム及びこれを構成する通信端末と交換通信装置によれば、通信端末より送信電話をしようとするときに、電話帳処理認識手段が電話帳を利用する行為を認識すると、端末制御手段が、端末内電話帳記憶手段に登録されている電話帳データを取得して交換通信装置に送信する。すると、交換通信装置の電話帳比較手段は、通信端末から受信した電話帳データと、交換通信装置内の電話帳データを保存している交換通信装置内電話帳記憶手段の電話帳データとを比較し、交換通信装置内にのみ登録されている電話帳データを送信電話帳記憶手段に保存する。さらに、中央制御部は、送信電話帳記憶手段の電話帳データを通信端末に送信する。これによって、通信端末は、通信端末内の電話帳データと交換通信装置内の電話帳データとの重複利用を避けて、交換通信装置の電話帳データを使用することができる。よって、通信端末は、メモリ容量による電話帳登録件数の制限を受けることなく、必要な電話帳データを有効に利用することができる。
また、本発明の構内電子交換システムは、交換通信装置と、交換通信装置の制御下にある通信端末とによって構成され、通信端末の電話帳検索を支援する構内電子交換システムであって、通信端末は、自己の電話帳データを用いる旨の信号を認識する電話帳処理認識手段と、自己に登録された電話帳データを記憶する端末内電話帳記憶手段と、端末内電話帳記憶手段に記憶されている電話帳データと送信電話帳記憶手段から受信した電話帳データとが、一定の規則に従う順序に配列されるように制御する順序制御手段と、電話帳処理認識手段を制御して、交換通信装置との間で電話帳データの送受信制御を行う端末制御手段とを備えている。また、交換通信装置は、自己に登録された電話帳データを記憶する交換通信装置内電話帳記憶手段と、端末内電話帳記憶手段の電話帳データと交換通信装置内電話帳記憶手段の電話帳データとを比較する電話帳比較手段と、電話帳比較手段の比較結果において、端末内電話帳記憶手段には存在せず、かつ交換通信装置内電話帳記憶手段に存在すると判定された電話帳データを記憶する送信電話帳記憶手段と、通信端末との間で電話帳データの送受信制御を行う中央制御手段とを備えている。そして、通信端末が、送信電話帳記憶手段に記憶された電話帳データを受信することにより、通信端末は、順序制御手段により制御された順序に基づいて、自己に登録されている電話帳データと交換通信装置に登録されている電話帳データとを、かな順又はアルファベット順の配列順序で利用できるようしたことを特徴とする。
すなわち、本発明の構内電子交換システム及びこれを構成する通信端末と交換通信装置によれば、通信端末より送信電話をしようとするときに、電話帳処理認識手段が電話帳を利用する行為を認識すると、端末制御手段が、端末内電話帳記憶手段に登録されている電話帳データを取得して交換通信装置に送信する。すると、交換通信装置の電話帳比較手段は、通信端末から受信した電話帳データと、交換通信装置内の電話帳データを保存している交換通信装置内電話帳記憶手段の電話帳データとを比較し、交換通信装置内にのみ登録されている電話帳データを送信電話帳記憶手段に保存する。さらに、中央制御部は、送信電話帳記憶手段の電話帳データを通信端末に送信する。すると、通信端末の順序制御手段が、受信した電話帳データと通信端末内の電話帳データとの順序を所定の配列に制御し、通信端末において電話帳データとして使えるように処理する。これによって、通信端末に登録されている電話帳データと、この電話帳データに重複しない交換通信装置内の電話帳データとが、かな順又はアルファベット順に配列制御され、通信端末は、その順序に配列された電話帳データを使用することができる。これによって、通信端末は、極めて使い勝手のよい状態で、自己が登録している電話帳データと交換通信装置の電話帳データとを使用することができる。
発明を実施するための最良の形態
以下、図面を用いて本発明の構内電子交換システム及びこれを構成する通信端末並びに交換通信装置について説明する。図１は、本発明の一実施の形態における構内電子交換システムの構成を示すブロック図である。同図において、本発明の構内電子交換システムは、通信端末１交換通信装置２とによって構成されている。通信端末１としては、固定端末又は、移動端末のいずれをも用いることができる。
通信端末１は、通信端末１に登録された電話帳データを保存する端末内電話帳記憶部１ｂと、電話帳データを使用する行為を認識して電話帳データを用いる旨の信号を受信する電話帳処理認識部１ｃと、端末内電話帳記憶部１ｂの電話帳データと交換通信装置２の送信電話帳記憶部２ｃから受信した電話帳データとの順序制御を行なう順序制御部１ｄと、通信端末１内の全ての手段を制御するとともに、電話帳処理認識部１ｃを制御して、通信端末１と交換通信装置２との間で電話帳データの送受信制御を行う端末制御部１ａとによって構成されている。
また、交換通信装置２は、交換通信装置２に登録された電話帳データを保存する交換通信装置内電話帳記憶部２ｂと、端末内電話帳記憶部１ｂから受信した電話帳データと交換通信装置内電話帳記憶部２ｂに記憶されている電話帳データとを比較して、両者の電話帳データが重複していないか否かを判断する電話帳比較部２ｄと、電話帳比較部２ｄの比較結果において、端末内電話帳記憶部１ｂには存在せず、かつ交換通信装置内電話帳記憶部２ｂに存在すると判定された電話帳データを保存する送信電話帳記憶部２ｃと、交換通信装置２内の全ての手段を制御するとともに、交換通信装置２と通信端末１との間で電話帳データの送受信制御を行う中央制御部２ａとによって構成されている。なお、交換通信装置２としては、ＰＢＸ（Ｐｒｉｖａｔｅ  Ｂｒａｎｃｈ  Ｅｘｃｈａｎｇｅ）や、ＣＴＩ（Ｃｏｍｐｕｔｅｒ  Ｔｅｌｅｐｈｏｎｙ  Ｉｎｔｅｇｒａｔｉｏｎ）サーバを用いることができる。
次に、本発明の構内電子交換システムにおける動作について図２にフローチャートに沿って説明する。まず、通信端末１にて電話帳を扱う処理を行なうと、電話帳処理認識部１ｃにおいて電話帳データが使用されるという信号が、端末制御部１ａに入力される（ステップＳ１）。すると、端末制御部１ａは、端末内電話帳記憶部１ｂに記憶されている電話帳データを交換通信装置２の中央制御部２ａに送信する（ステップＳ２）。
中央制御部２ａは、電話帳比較部２ｄによって、通信端末１から受信した電話帳データと、交換通信装置２に登録され交換通信装置内電話帳記憶部２ｂに記憶されている電話帳データとの比較を行い、通信端末１の電話帳データと交換通信装置２の電話帳データとが重複しない電話帳データのみを送信電話帳記憶部２ｃに保存する（ステップＳ３）。さらに、中央制御部２ａは、交換通信装置２の送信電話帳記憶部２ｃに記憶されている電話帳データを通信端末１に送信する（ステップＳ４）。
すると、通信端末１の順序制御部１ｄは、交換通信装置２から受信した電話帳データと、端末内電話帳記憶部１ｂに記憶されている電話帳データとを、かな順又はアルファベット順に配列する制御を行う（ステップＳ５）。これによって、通信端末１は、自己の電話帳データだけでなく、交換通信装置２の電話帳データも使用することができるとともに、両者の電話帳データを共通して、かな順又はアルフアベット順で使用することができる（ステップＳ６）。したがって、メモリ容量の制限を受けることなく、極めて使い勝手のよい通信端末１を実現することができる。
以上述べた実施の形態は本発明を説明するための一例であり、本発明は、上記の実施の形態に限定されるものではなく、発明の要旨の範囲で種々の変形が可能である。例えば、上記の実施の形態における構内電子交換システムは、通信端末及び交換通信装置が図１に示す構成を全て備えた場合について述べたが、これらの構成を全て備えなくても、本発明の構内電子交換システムを実現することができる。
すなわち、通信端末１が、順序制御部１ｄを備えないで、電話帳処理認識部１ｃと端末内電話帳記憶部１ｂと端末制御部１ａとを備え、交換通信装置２が、送信電話帳記憶部２ｃと電話帳比較部２ｄを備えないで、交換通信装置内電話帳記憶部２ｂと中央制御部２ａのみを備えた構成においても、本発明の構内電子交換システムを実現することができる。このような構成により、交換通信装置２内の電話帳データを通信端末１に送信することにより、通信端末１は、交換通信装置２に登録されている電話帳データを利用することができる。
したがって、このような構成の構内電子交換システムによれば、通信端末１より送信電話をしようとするときに、電話帳処理認識部１ｃが電話帳データを利用する行為を認識すると、端末制御部１ａが、端末内電話帳記憶部１ｂに登録されている電話帳データを取得して交換通信装置２に送信する。すると、交換通信装置２の中央制御部２ａは、交換通信装置内電話帳記憶部２ｂに登録されている電話帳データを通信端末１に送信する。このようにして、交換通信装置２内の電話帳データを通信端末１に送信することによって、通信端末１は、自己が登録している電話帳データと共に、交換通信装置２内に登録されている電話帳データも使用することができる。
また、構内電子交換システムの別な構成として、通信端末１が、順序制御部１ｄを備えないで、電話帳処理認識部１ｃと端末内電話帳記憶部１ｂと端末制御部１ａとを備え、交換通信装置２はフル構成、すなわち、交換通信装置内電話帳記憶部２ｂと送信電話帳記憶部２ｃと電話帳比較部２ｄと中央制御部２ａとを備えた構成においても、本発明の構内電子交換システムを実現することができる。
このような構成により、通信端末１が、送信電話帳記憶部２ｃに記憶された電話帳データを受信することにより、通信端末１は、自己に登録されている電話帳データに加えて、交換通信装置２に登録されている電話帳データを利用することができる。
すなわち、本発明の構内電子交換システムによれば、通信端末１より送信電話をしようとするときに、電話帳処理認識部１ｃが電話帳を利用する行為を認識すると、端末制御部１ａが、端末内電話帳記憶部１ｂに登録されている電話帳データを取得して交換通信装置２に送信する。すると、交換通信装置２の電話帳比較部２ｄは、通信端末１から受信した電話帳データと、交換通信装置２内の電話帳データを保存している交換通信装置内電話帳記憶部２ｂの電話帳データとを比較し、交換通信装置２内にのみ登録されている電話帳データを送信電話帳記憶部２ｃに保存する。さらに、中央制御部２ａは、送信電話帳記憶部２ｃの電話帳データを通信端末１に送信する。これによって、通信端末１は、通信端末１内の電話帳データと交換通信装置２内の電話帳データとの重複利用を避けて、交換通信装置２の電話帳データを使用することができる。よって、通信端末１は、メモリ容量による電話帳登録件数の制限を受けることなく、必要な電話帳データを有効に利用することができる。
産業上の利用分野
以上説明したように、本発明の構内電子交換システムによれば、通信端末は、通信端末自身の電話帳データの制限容量を超えた場合でも、交換通信装置に登録されている電話帳データを使用することができる。また、通信端末は、自己のメモリに登録していない電話帳データでも、任意に、交換通信装置の電話帳データから取得して使用することができる。したがって、通信端末の電話帳記憶部の容量に制限されることなく、多くの電話帳データを使用することができるので、極めて使い勝手のよい通信端末を実現し得る構内電子交換システムを構築することができる。また、多くの電話帳データを格納するためにメモリ容量を大きくする必要がないので、低コストで大量の電話帳データを使用することができる通信端末を実現することが可能となる。
【図面の簡単な説明】
上記本発明の目的や特徴は以下の図面と共に説明される本発明の実施の形態によりさらに明確となるであろう。
図１は、本発明の一実施の形態における構内電子交換システムの構成を示すブロック図である。
図２は、図１の構内電子交換システムにおける動作を説明するフローチャートである。
【図１】
2002023871.tif 000003
【図２】
2002023871.tif 000004
【手続補正書】
【提出日】平成14年2月6日(2002.2.6)
【手続補正１】
【補正対象書類名】明細書
【補正対象項目名】特許請求の範囲
【補正方法】変更
【補正の内容】
【特許請求の範囲】
【請求項１】
（補正後）電話帳データを記憶する端末内電話帳記憶手段と、前記端末内電話帳記憶手段を制御するとともに、交換通信装置内電話帳記憶手段に記憶された電話帳データの送受信を行う前記交換通信装置との間で電話帳データの送受信制御を行う端末制御手段とを備え、前記交換通信装置内電話帳記憶手段に記憶された電話帳データを受信することにより、前記端末内電話帳記憶手段に記憶された電話帳データと前記交換通信装置内電話帳記憶手段に記憶された電話帳データとが利用できるようにした通信端末であって、さらに前記交換通信装置から受信した電話帳データと前記端末内電話帳記憶手段に記憶された電話帳データとを所定の順序に配列する順序制御手段を有する通信端末。
【請求項２】
削除
【請求項３】
削除
【請求項４】
削除
【請求項５】
（補正後）電話帳データを記憶する端末内電話帳記憶手段、及び前記端末内電話帳記憶手段を制御して、交換通信装置との間で電話帳データの送受信制御を行う端末制御手段を有する通信端末と、電話帳データを記憶する交換通信装置内電話帳記憶手段、及び前記交換通信装置内電話帳記憶手段を制御して、前記通信端末との間で電話帳データの送受信制御を行う中央制御手段を有する交換通信装置とを備え、前記交換通信装置内の電話帳記憶手段に記憶された電話帳データを前記通信端末に送信することにより、前記通信端末では前記端末内電話帳記憶手段に記憶された電話帳データと前記交換通信装置内電話帳記憶手段に記憶された電話帳データとが利用できることを特徴とする交換システムであって、さらに前記通信端末は、前記交換通信装置から受信した電話帳データと前端末内電話帳記憶手段に記憶された電話帳データとを所定の順序に配列する順序制御手段を有するものである交換システム。
【請求項６】
（補正後）電話帳データを記憶する端末内電話帳記憶手段、及び前記端末内電話帳記憶手段を制御して、交換通信装置との間で電話帳データの送受信制御を行う端末制御手段を有する通信端末と、電話帳データを記憶する交換通信装置内電話帳記憶手段、及び前記交換通信装置内電話帳記憶手段を制御して、前記通信端末との間で電話帳データの送受信制御を行う中央制御手段を有する交換通信装置とを備え、前記交換通信装置内の電話帳記憶手段に記憶された電話帳データを前記通信端末に送信することにより、前記通信端末では前記端末内電話帳記憶手段に記憶された電話帳データと前記交換通信装置内電話帳記憶手段に記憶された電話帳データとが利用できることを特徴とする交換システムであって、前記交換通信装置は、前記端末制御手段が前記端末内電話帳記憶手段に記憶された電話帳データを前記交換通信装置に送信したときに、受信した電話帳データと前記交換通信装置内電話帳記憶手段に記憶された電話帳データとを比較する電話帳比較手段と、前記電話帳比較手段により前記端末内電話帳記憶手段には記憶されておらずかつ、前記交換通信装置内電話帳記憶手段に記憶されていると判定した電話帳データを記憶する送信電話帳記憶手段とを有し、前記中央制御手段が前記送信電話帳記憶手段に記憶された電話帳データを前記通信端末に送信するよう構成され、さらに前記通信端末は、前記交換通信装置から受信した電話帳データと前端末内電話帳記憶手段に記憶された電話帳データとを所定の順序に配列する順序制御手段を有するものである交換システム。
【請求項７】
削除
【請求項８】
削除
【請求項９】
（補正後）前記交換通信装置がＰＢＸで有る請求項５に記載の交換システム。
【請求項１０】
（補正後）前記交換通信装置がＣＴＩサーバである請求項５に記載の交換システム。
【国際調査報告】
2002023871.tif 000005
2002023871.tif 000006
2002023871.tif 000007
2002023871.tif 000008